(57)【要約】【課題】平坦なウエブのための新規なクロスカッタ装置を提供する。  【解決手段】印刷された平坦なウエブ（１６）の輸送方向（１８）に無限に互いに続く印刷フォーマットから部分を作り出すためのクロスカッタ装置（１０）は、輸送方向（１８）において互いに離間した、平坦なウエブ（１６）のための２つの切断ユニット（１２、１４）を有する。各切断ユニット（１２、１４）は静止のナイフ（２４、３４）及び円形経路上で回転する回転可能なナイフ（２２、３２）を有する。各回転可能なナイフ（２２、３２）はそれぞれの回転を成し遂げる個別のモータ駆動子（２６、３６）を割り当てられる。各モータ駆動子（２６、３６）に対して、その中に参照回転位置を記憶できる専用のコントローラが設けられる。【選択図】  図１
2005248414.tif 000002
【特許請求の範囲】
【請求項１】
印刷された平坦なウエブ（１６）の輸送方向（１８）に無限に次々と続く印刷フォーマットから部分を作り出すためのクロスカッタ装置（１０）であって、
上記輸送方向（１８）において互いに離間した、上記平坦なウエブ（１６）のための２つの切断ユニット（１２、１４）を有し、
上記各切断ユニット（１２、１４）に属する、静止のナイフ（２４、３４）及び円形経路上で回転する回転可能なナイフ（２２、３２）を有する、
クロスカッタ装置において、
上記各回転可能なナイフ（２２、３２）がそれぞれの回転を成し遂げる個別のモータ駆動子（２６、３６）を割り当てられ、
上記各モータ駆動子（２６、３６）に対して、その中に参照回転位置を記憶できる専用のコントローラが設けられる、
ことを特徴とするクロスカッタ装置。
【請求項２】
印刷された平坦なウエブ（１６）の輸送方向（１８）に無限に次々と続く印刷フォーマットから部分を作り出すためのクロスカッタ装置（１０）であって、
上記輸送方向（１８）において互いに離間した、上記平坦なウエブ（１６）のための２つの切断ユニット（１２、１４）を有し、
上記各切断ユニット（１２、１４）に属する、静止のナイフ（２４、３４）及び円形経路上で回転する回転可能なナイフ（２２、３２）を有する、
クロスカッタ装置において、
一方の上記切断ユニット（１２）が上記平坦なウエブ（１６）の一側に位置し、他方の上記切断ユニット（１４）が当該平坦なウエブ（１６）の他側に位置する、
ことを特徴とするクロスカッタ装置。
【請求項３】
上記各回転可能なナイフ（２２、３２）がそれぞれの回転を成し遂げる個別のモータ駆動子（２６、３６）を割り当てられ、
上記各モータ駆動子（２６、３６）に対して、その中に参照回転位置を記憶できる専用のコントローラが設けられる、
ことを特徴とする請求項２に記載の装置。
【発明の詳細な説明】
【技術分野】
【０００１】
本発明は印刷された平坦なウエブの輸送方向に無限に次々と続く印刷フォーマットから部分を作り出すためのクロスカッタ装置に関する。
このような装置の助けにより、既に印刷された連続的なウエブは所望のフォーマットの単一の個々のシートに切断される。
【背景技術】
【０００２】
既知のクロスカッタ装置においては、２つのナイフは回転するシリンダに固定され、回転せん断切断において静止のナイフと相互作用する。２つのナイフは円周方向に一定の距離だけ互いに離れている。この一定の距離は平坦なウエブから作り出されるべき部分のウエブ長さを決定する。部分の長さの変更を可能にするため、シリンダ上のナイフの間隔を変更しなければならないか又は新たな組のナイフを設置する必要がある。
【０００３】
更に、２つの回転駆動できるクロスカッタシリンダを有するクロスカッタ装置も既知である。これら２つのクロスカッタシリンダの各々に固定されたナイフは回転せん断切断において静止のナイフと相互作用する。２つのクロスカッタシリンダは平坦なウエブの上方に配置される。クロスカッタシリンダは単一のモータにより連帯的に駆動される。２つのクロスカッタシリンダの各々の全体寸法がこれらの２つのクロスカッタシリンダの相互最小間隔を決定する。この最小間隔は平坦なウエブの切断すべき部分の長さとなり、これらの２つのクロスシリンダは特定の最小以下に落ちることができない。これとは別に、部分の長さは２つのクロスカッタシリンダ上の２つのナイフの相互回転位置を変えることにより適当に変更することができる。
【発明の開示】
【発明が解決しようとする課題】
【０００４】
部分の長さのこのような変更に必要な切換え時間は、手動労力が必須であるため、相当長い。更に、必須の手動調整活動はそれぞれの作業員のかなりの技術的及び人的能力を必要とする。
【課題を解決するための手段】
【０００５】
この上述の従来技術から出発して、本発明は技術的な面及び経済的な面の双方からできる限り最適に作動できる、最初に述べた形式のクロスカッタ装置を特定化する目的に基礎を置く。
【０００６】
本発明は特許請求の範囲の同等の請求項１、２の特徴により提供される。本発明の得策な開発は従属の請求項の要旨を形成する。
本発明に係るクロスカッタ装置の本発明に従った第１の態様は、２つの回転駆動されるナイフの各々が各ナイフのそれぞれの回転を成し遂げる個別のモータ駆動子を割り当てられ、更に、各モータ駆動子に対して、その中に参照回転位置を記憶できる専用のコントローラが設けられるという事実を含む。これは、工具設定者により集中的な作業工程において特定の部分について一旦見出された、一般には対応的に回転駆動されるシリンダに固定される回転駆動されるナイフの設定が、任意の所望の時間に再度簡単に読み出すのを可能にし、自動的に設定するのを可能にする。その結果、一旦決められたこのようなフォーマット設定の再現性は、不慣れな者にとってさえ困難を伴わずに、可能となる。
【０００７】
本発明に係るクロスカッタ装置の第２の態様は、１つの回転駆動可能なナイフを有する２つの切断ユニットのうちの一方が各場合に平坦なウエブの一側に配置され、２つの切断ユニットのうちの他方が平坦なウエブの反対の他側に配置されるという事実を含む。平坦なウエブに関する２つの切断ユニットのこの交互の配置はまた、極めて小さなフォーマット長さを有するフォーマット部分を許容する。その理由は、最小フォーマット長さが平坦なウエブ上に配置された２つのクロスカッタシリンダ間の比較的大きな相互間隔によりもはや決定されないからである。この場合、２つの切断ユニットの各々について個別のモータを同様に設けることができ、更に、これまた、これらの２つのモータ駆動子の各々に、これまた所望の参照回転位置をその中に記憶できるコントローラを割り当てることができる。次いで、この付加的な構成は、たとえ小さいものであっても任意の所望のフォーマット区分を、簡単な方法で再現可能に設定できるという利点を有する。
【発明を実施するための最良の形態】
【０００８】
図面に示す例示的な実施の形態を使用して、以下に本発明を一層詳細に説明する。
クロスカッタ装置１０は２つの切断ユニット１２、１４を有し、そのうちの一方の切断ユニット１２は一点鎖線で示す平坦なウエブ１６の上方に位置し、他方の切断ユニット１４は平坦なウエブの下方に位置する。この例においては、平坦なウエブ１６は印刷された紙ウエブであり、このウエブは図１には示さない普通のコンベヤベルト又はローラコンベヤにより輸送方向１８へクロスカッタ装置１０を通して導かれる。
【０００９】
上方の切断ユニットはこれに固定したナイフ２２を備えたクロスカッタシリンダ２０を有する。このナイフ２２は、回転切断として知られる、ウエブ１６の下側に配置された静止のナイフ２４との相互作用により、ウエブ１６を切断する。ナイフ２４は静止のナイフホルダ２５に固定される。
【００１０】
クロスカッタシリンダ２０は専用のモータ駆動子２６を有する。クロスカッタシリンダ２０の任意の所望の回転位置は図には示さないモータ２６のためのコントローラ内に記憶させることができる。その結果、クロスカッタシリンダ２０の適当な回転位置は困難を伴わずに読み出すことができ、再度設定できる。
【００１１】
下方の切断ユニット１４は上方の切断ユニット１２と同様の方法で構成される。ナイフ３２はまたそのシリンダ３０に固定され、回転切断を生じさせるために、平坦なウエブ１６の上方に配置されナイフホルダ３５に固定された静止のナイフ３４と相互作用する。クロスカッタシリンダ３０は別個のモータ駆動子３６により駆動される。このモータ駆動子３６はコントローラを有し、その中に、クロスカッタシリンダ３０の参照位置を記憶できる。
【００１２】
２つの切断ユニット１２、１４の２つのシリンダ２０、３０の相互回転位置は、一旦設定された後、２つのモータ駆動子２６、３６の２つのコントローラ内の記憶された回転位置に基づいて再現可能に再度読み出すことができる。これは、２つのシリンダ２０、３０の回転位置それ故特定の切断仕事に必要なそのナイフ２２、３２の回転位置を再度容易に設定できることを意味する。
【００１３】
２つの切断ユニット１２、１４は、例えば図２、３に例として示す方法で、部分４０を切断するために、材料ウエブ１６上に作用する。同じ部分４０、４０．２、４０．３、４０．４は平坦なウエブ１６（図２）から切断すべきものである。すべてのこれらの部分は長さ４２を有し、ウエブ１６上に既に印刷された長さ４４の対応する総体のフォーマットよりも短い。総体のフォーマットは間隔を残した状態で連続的に互いに取付けることができるが、この例のようにシームレスの状態で互いに当接することもできる。
【００１４】
平坦なウエブ１６の切断すべき部分４０．２のその前部ライン５０が例えば上方の切断ユニット１２の区域に到達した直後に、このライン５０は回転切断でナイフ２２、２４（図２）により切断される。この部分４０．２の後部ライン５２が続いて下方の切断ユニット１４の区域に到達した後、ウエブ１６は同様にライン５２に沿って回転切断でこのユニットのナイフ３２、３４により切断される。このようにして、部分４０．２はウエブ１６から切り離される。次いで、次の部分４０．３、４０．４について、手順が同様に実行される。作り出すべき部分４０．３の対応する前部ライン５０．３が上方の切断ユニット１２に到達した直後に、ライン５０．３上で適当なクロスカット即ち横切断が生じる。次に、対応する切断が下方の切断ユニット１４により部分４０．３の後部ライン５２．３上で同様に生じる。このようにして、個々の部分はウエブ１６から続いて切断される。
【００１５】
連続する部分４０．２、４０．３のそれぞれの前部境界ライン５０、５０．３間の距離５４はこれらの連続する２つの部分４０．２、４０．３の後部境界ライン５２、５２．３の相互間隔５６と精確に同じ寸法なので、２つのシリンダ２０、３０を同期して駆動することができる。この例の場合、モータ２６、３６は各々専用の登録コントローラを有するサーボモータである。作り出すべき個々の部分４０に関する２つのシリンダのそれぞれの回転位置はこの登録コントローラ内に記憶される。その結果、部分に関連するデータは貯えることができ、それ故、２つのシリンダ２０、３０をそれぞれの所望の位置に従って再度新たに設定する必要がある場合に再度容易に読み出すことができる。
【００１６】
２つの静止のナイフ２４、３４間の区域における平坦なウエブ１６はこの例では３つの偏向ローラのまわりで連続的に循環する輸送ベルト６０上に置かれる。その２つの上方の偏向ローラ６１、６３間の区域においては、この輸送ベルト６０は、輸送方向１８にそれ故平坦なウエブ１６と同様に、駆動モータにより駆動される。それ故、平坦なウエブが輸送方向１８にクロスカッタ装置１０を通して輸送されると、ウエブが例えば後部ライン５２に沿って下方の切断ユニット１４により横断方向に既に切断されてしまった後、このライン５２とその背後に位置するライン５０．３との間のウエブ区分７０はこのウエブ区分の背後に存在する平坦なウエブの区域により第１の切断ユニット１２の方向へ押される。コンベヤベルト６０により、このウエブ区分７０を輸送方向１８へ活発に移動させることができる。この活発な運動は２つの切断ユニット１２、１４間の区域内のすべてのウエブ区分に対して可能である。
【００１７】
部分４０．２、４０．３、４０．４間に存在し、この例では同じであるウエブ区分７０は、第１の切断ユニット１２を通過した後は、平坦なウエブ１６から完全に切断される。上方の切断ユニット１２のクロスカッタシリンダ２０においては、クロスカッタシリンダ２０の円周は円周方向でそのナイフ２２に隣接する円周方向の区域７２において穿孔されるか又は穴を具備する。この穴は吸引穴であり、これらの穴は、シリンダ２０の内部に向かうその穴の端部で、図面に示さない真空源に接続される。切断が図４に示す上方の切断ユニット１２の区域で生じた後、例えば、関連するウエブ区分７０が平坦なウエブ１６から完全に切断される。次いで、この区分は穿孔された円周方向の表面７４を介してシリンダ２０上に吸引され、シリンダ２０の更なる回転中に回転方向７６において平坦なウエブ１６の区域外へ斜め上方に持ち上げられ、次いで、シリンダ２０から離れるように吹きつけられる。離れるような吹きつけ作用は穿孔された表面７２の区域での適当な正のガス圧力により行われる。ウエブ区分７０上への吸引のための空気は、特に特定の時間期間にわたって、穿孔された表面７２を通して取り入れられ、次いで、空気はシリンダ２０の表面から再度離れるようにウエブ区分７０を移動させるために再度この穿孔された表面区域を通して吐き出される。３６０°にわたるシリンダ２０の完全な１回転に続いて、新たなウエブ区分７０を平坦なウエブ１６の区域から再度吸引することができる。シリンダ２０から、ウエブ区分７０は廃物コンテナ内へ入れることができる。
【００１８】
ナイフ２２は回転軸線８０に沿って分散配置された複数のネジ８２によりシリンダ２０に強固に固定され、これは下方の切断ユニット１４に固定されたナイフ３２についても対応的に真実である。更に、ナイフ２２は止めネジ８４により静止の下方のナイフ２４の方向へ押し付けられる。最後に、ナイフ２２の切断縁８８は別の止めネジ８６により固定ネジ８２の作動軸線に平行な方向にシリンダ２０から離れるように移動させることができる。その結果、ナイフ２２の切断縁８８は下方のナイフ２４の切断縁８９に対して精確に整合させることができ、この整合状態に保つことができる。下方のナイフ２４はまたナイフ２２と同じ方法で固定される。従って、ナイフホルダ２５上にナイフ２４を強固に保持する固定ネジ９２が存在する。更に、止めネジ８４に匹敵するネジ９４も存在する。最後に、ネジ８６に匹敵するネジ９６も存在し、図４にそのネジ軸線のみを示す。匹敵する固定は下方の切断ユニット１４のナイフ３２、３４にも適用される。切断ユニット１４は切断ユニット１２とほぼ同じに構成されるが、違いは、平坦なウエブ１６の区域がそのクロスカッタシリンダ３０上へ吸引し離れるように吹きつけねばならない点がないことであり、それ故、穿孔された表面７２を有しない。
【００１９】
匹敵する説明は切断ユニット１４にも適用されるが、切断ユニット１２は平坦なウエブ１６に平行な面内で枢動できる。この場合、回転軸線８０は平坦なウエブ１６に平行なその整合状態を維持する。異なる枢動位置は、平坦なウエブ１６のそれぞれの輸送速度に応じて、切断ライン５０、５２が輸送方向１８に対して直角に常に精確に生じることができる状況を達成する。この形式の調整は回転切断としてそれ自体既知である。
【００２０】
例示的な実施の形態から明確なように、２つの切断ユニット１２、１４はまた輸送方向１８において交換できるように配置することができる。従って、図４の関係において、右手側のシリンダ３０を平坦なウエブ１６の上方とすることができ、左手側のシリンダ２０を平坦なウエブ１６の下方とすることができる。
【図面の簡単な説明】
【００２１】
【図１】ウエブの上下に位置し、各場合に個別に駆動できる本発明に係る切断ユニットを有する平坦なウエブを示す図である。
【図２】前部の上方の切断ユニットにより切断されているときの平坦なウエブの位置を示す図である。
【図３】後部の下方の切断ユニットによるその引き続きの切断中の図２に係る平坦なウエブの位置を示す図である。
【図４】図１に比べて拡大した図を示す図である。
【符号の説明】
【００２２】
１０    クロスカッタ装置
１２、１４    切断ユニット
１６    平坦なウエブ
１８    輸送方向
２２、３２    回転可能なナイフ
２４、３４    静止のナイフ
２６、３６    モータ駆動子
【図１】
2005248414.tif 000003
【図２】
2005248414.tif 000004
【図３】
2005248414.tif 000005
【図４】
2005248414.tif 000006